(57)【特許請求の範囲】
【請求項１】
炭酸飲料を大瓶から容器に分けるための安全機構を備えた二方弁であって、
弁体と、弁心と、ハンドルと、瓶シールリングと、を備え、
前記弁体は、大瓶の雄ねじにマッチする雌ねじを有する入口と、容器の雄ねじにマッチする雌ねじを有する出口と、を有し、
前記弁体の前記出口の雌ねじの底部と前記入口の雌ねじの底部とには、それぞれ、瓶シールリングが圧力ガスによって吹き出されるのを防止する安全機構を有し、
前記安全機構は、弁体の入口の雌ねじの底部と出口の雌ねじの底部とに軸方向に窪み込んだ軸方向リング形状溝であり、軸方向リング形状溝の一面は、軸方向リング形状溝の底部まで延伸する雌ねじであり、軸方向リング形状溝の他面は、溝壁であり、軸方向リング形状溝の深さは、瓶シールリングの厚さより大きく、軸方向リング形状溝の幅は、大瓶の雄ねじの幅より大きいことを特徴とする安全機構を備えた二方弁。
【請求項２】
前記軸方向リング形状溝は、断面が矩形であり、
前記瓶シールリングもまた断面が矩形であり、弾性プラスチックから作製され、
瓶シールリングの幅と軸方向リング形状溝の幅とはタイトにフィットするように作製されていることを特徴とする請求項１に記載の安全機構を備えた二方弁。
【請求項３】
前記弁心の棒と弁体との間にシールリングが設けられていることを特徴とする請求項１又は２に記載の安全機構を備えた二方弁。
【請求項４】
前記弁体の出口の軸線と入口の軸線とは、互いに直交するか鈍角をなすことを特徴とする請求項１乃至３の何れか一項に記載の安全機構を備えた二方弁。
【請求項５】
ボール弁であることを特徴とする請求項１乃至４の何れか一項に記載の安全機構を備えた二方弁。
【請求項６】
前記ボール弁の弁体と弁心は、プラスチックで製造され、前記弁体は、一体射出成型によって製造され、前記弁心は、弁体の空洞に覆われ、回転可能であることを特徴とする請求項５に記載の安全機構を備えた二方弁。
【請求項７】
前記弁体の出口の雌ねじと入口の雌ねじとはサイズが同一であることを特徴とする請求項１乃至６の何れか一項に記載の安全機構を備えた二方弁。
【発明の詳細な説明】
【技術分野】
【０００１】
本発明は、食品容器に属するものである。
【背景技術】
【０００２】
個人や家庭では、大瓶の炭酸飲料を購入した場合、飲み切るまで複数回に分けて飲むことがよくある。したがって、瓶の蓋が頻繁に開けられることとなり、飲料におけるガスの脱気を引き起こす。飲料がまだ瓶の中に多く残っているにも関わらず、ガスがすでに全部脱気してしまい、炭酸飲料の品質に大きく影響することがよくある。特許文献１に係る発明は、この問題を解決したが、構造が非常に複雑であり、生産のコストが高く、市場での普及が難しい。
【先行技術文献】
【特許文献】
【０００３】
【特許文献１】米国特許第５９０９８２４号明細書
【発明の概要】
【発明が解決しようとする課題】
【０００４】
大瓶の炭酸飲料の市場が巨大であるため、大瓶の炭酸飲料が複数回の飲用において脱気することを防止するための安価で質のよい部品を市場に提供することが必要である。本発明の炭酸飲料を大瓶から容器に分けるための安全機構を備えた二方弁は、このような部品である。
【課題を解決するための手段】
【０００５】
本発明の思想は、炭酸飲料瓶の大瓶と小さい容器を二方弁で接続し、二方弁を開いて炭酸飲料を容器に注いでから二方弁を閉じ、二方弁を大瓶の炭酸飲料瓶に残させ、飲料が分けられた容器を取り外すことで、大瓶の炭酸飲料のガスが最後まで維持されることとなる。発明のサンプルによる試験の結果は、この思想が実行可能であることを証明した。
【０００６】
試験中に、瓶シールリングが圧力ガスによってハイスピードで吹き出されることがあると分かった。瓶シールリングが偶然飲み手の目に当たると非常に危ないため、瓶シールリングが圧力ガスによって吹き出されることを防止するための安全機構を二方弁へ増設することが重要である。
【０００７】
炭酸飲料を大瓶から容器に分けるための安全機構を備えた二方弁であって、
弁体と、弁心と、ハンドルと、瓶シールリングと、を備え、
前記弁体は、大瓶の雄ねじにマッチする雌ねじを有する入口と、容器の雄ねじにマッチする雌ねじを有する出口と、を有し、
前記弁体の前記出口の雌ねじの底部と前記入口の雌ねじの底部とには、それぞれ、瓶シールリングが圧力ガスによって吹き出されるのを防止する安全機構を有する。
【０００８】
前記安全機構は、弁体の入口の雌ねじの底部と出口の雌ねじの底部とに軸方向に窪み込んだ軸方向リング形状溝であり、軸方向リング形状溝の一面は、軸方向リング形状溝の底部まで延伸する雌ねじであり、軸方向リング形状溝の他面は、溝壁であり、軸方向リング形状溝の深さは、瓶シールリングの厚さより大きく、軸方向リング形状溝の幅は、大瓶の雄ねじの幅より大きい。
【０００９】
前記安全機構は、弁体の入口の雌ねじと出口の雌ねじとの根元部に径方向に窪み込んだ径方向リング形状溝である。
【００１０】
前記弁体の出口の軸線と入口の軸線とは、互いに直交するか鈍角をなす。
【００１１】
前記安全機構を備えた二方弁は、ボール弁である。
【図面の簡単な説明】
【００１２】
【図１】本発明の炭酸飲料を大瓶から容器に分けるための安全機構を備えた二方弁の模式図である。入口が炭酸飲料の大瓶に接続し、出口が炭酸飲料の容器に接続する。
【図２】瓶シールリングが圧力ガスによって吹き出されるのを防止するための安全機構を示す模式図である。
【図３】瓶シールリングが圧力ガスによって吹き出されるのを防止する他の安全機構を示す模式図である。
【発明を実施するための形態】
【００１３】
図１に示すように、大瓶１の炭酸飲料を容器２に分けるための安全二方弁３は、弁体４と、弁心５と、ハンドル６と、瓶シールリング７、８と、を含む。
【００１４】
弁体４は、入口９と、出口１０と、弁室１１と、入口９、出口１０、及び弁室１１を互いに連絡する通路と、を有する。弁心５の弁心コア１２は、弁室１１内にあり、弁室１１内で回転可能である。弁心５は、弁心孔１３と弁心棒１４とを有する。弁心棒１４は、弁体４の外部へ伸び出し、ハンドル６が装着されている。弁心棒１４と弁体４との間に、シールリング１５がある。入口９と出口１０は、それぞれ、雌ねじ１６と雌ねじ１７とを有する。入口の雌ねじ１６は、大きい飲料瓶の雄ねじ１８にマッチし、出口の雌ねじ１７は、小さい瓶の雄ねじ１９にマッチする。
【００１５】
出口の雌ねじの底部と入口の雌ねじの底部とには、瓶シールリングが圧力ガスによって吹き出されるのを防止するための安全機構２０を有する。出口の安全機構と入口の安全機構とは、その構造が同一である。
【００１６】
弁体の入口９の軸線と出口１０の軸線とは互いに直交するか、鈍角をなす。
【００１７】
図２に示すように、安全機構２０は、弁体の入口及び出口が有する雌ねじ１６、１７の底面へ軸方向に窪み込んだ軸方向リング形状溝２１である。軸方向リング形状溝２１の一面は、軸方向リング形状溝２１の底部２３まで延伸する雌ねじ１６、１７であり、軸方向リング形状溝２１の他面は、溝壁２２である。軸方向リング形状溝２１の深さＨは、瓶シールリング７、８の厚さＨｍより大きく、軸方向リング形状溝２１の幅Ｇは、瓶の雄ねじの幅Ｔより大きい。
【００１８】
軸方向リング形状溝２１は、瓶シールリング７、８を有し、瓶シールリング７、８は弾性プラスチックから作製される。瓶シールリング７、８の幅Ｇｍと軸方向リング形状溝２１の幅Ｇとはタイトにフィットする。シールリング７、８の外径Ｐｍは、雌ねじ１６、１７の内径Ｐに等しく、シールリング７、８の内径Ｄｍは、軸方向リング形状溝２１の溝壁２２の外径Ｄより大きい。
【００１９】
軸方向リング形状溝２１の断面は矩形であり、瓶シールリング７、８の断面も矩形である。あるいは、軸方向リング形状溝２１の断面が矩形で、瓶シールリング７、８の断面は円形であってもいい。
【００２０】
軸方向リング形状溝２１の深さＨが瓶シールリング７、８の厚さＨｍより大きいため、放出されたガスの圧力は、瓶シールリング７、８を吹き飛ばすことができず、従って瓶シールリング７、８が吹き出されないことが保証される。
【００２１】
図３に示すように、保証機構２５は異なる構造を有する。保証機構２５は、弁体の出口の雌ねじと入口の雌ねじとの根元部に径方向に窪み込んだ径方向リング形状溝２６である。瓶シールリング２８は、弾性プラスチックから作製され、その厚さが径方向リング形状溝２６の幅より小さく、その外径が雌ねじの内径より大きく、その内径が瓶の内径より小さい。瓶シールリングが径方向リング形状溝内２６に嵌入されているため、圧力ガスが瓶シールリング２８を吹き飛ばすことはない。
【００２２】
弁体の出口と入口の雌ねじ１６、１７は、国際飲料技術者協会（International  Society  Beverage  Technologists）の飲料瓶規格にしたがって製造される。２リットル以下の炭酸飲料瓶の場合、雄ねじの規格は、ＰＣＯ規格２８ｍｍネック仕上げ（ｎｅｃｋ  ｆｉｎｉｓｈ）であり、この雄ねじの寸法も同じである。
【００２３】
本発明の使用方法は、炭酸飲料の大瓶を開け、安全二方弁の入口を炭酸飲料瓶の大瓶の瓶口に締め付け、安全二方弁の出口を容器に締め付け、安全二方弁を開いて炭酸飲料を大瓶から容器に注ぎ、それから安全二方弁を閉め、安全二方弁を炭酸飲料の大瓶上に残させ、飲料を入れられた容器を取り外して、容器へ分ける作業が終了する。閉じた安全二方弁によって炭酸飲料の大瓶を封じ止めるため、大瓶の中の飲料のガスが飲み切られるまで維持され、しかも高い圧力を有する。
【００２４】
本出願は２０１３年１０月５日に出願された米国仮出願第６１８８７３４１号の優先権を主張するものであり、当該特許は参照により本明細書中に取り込まれる。
（付記）
（付記１）
炭酸飲料を大瓶から容器に分けるための安全機構を備えた二方弁であって、
弁体と、弁心と、ハンドルと、瓶シールリングと、を備え、
前記弁体は、大瓶の雄ねじにマッチする雌ねじを有する入口と、容器の雄ねじにマッチする雌ねじを有する出口と、を有し、
前記弁体の前記出口の雌ねじの底部と前記入口の雌ねじの底部とには、それぞれ、瓶シールリングが圧力ガスによって吹き出されるのを防止する安全機構を有することを特徴とする安全機構を備えた二方弁。
（付記２）
前記安全機構は、弁体の入口の雌ねじの底部と出口の雌ねじの底部とに軸方向に窪み込んだ軸方向リング形状溝であり、軸方向リング形状溝の一面は、軸方向リング形状溝の底部まで延伸する雌ねじであり、軸方向リング形状溝の他面は、溝壁であり、軸方向リング形状溝の深さは、瓶シールリングの厚さより大きく、軸方向リング形状溝の幅は、大瓶の雄ねじの幅より大きいことを特徴とする付記１に記載の安全機構を備えた二方弁。
（付記３）
前記軸方向リング形状溝は、断面が矩形であり、
前記瓶シールリングもまた断面が矩形であり、弾性プラスチックから作製され、
瓶シールリングの幅と軸方向リング形状溝の幅とはタイトにフィットするように作製されていることを特徴とする付記２に記載の安全機構を備えた二方弁。
（付記４）
前記安全機構は、弁体の入口の雌ねじと出口の雌ねじとの根元部に径方向に窪み込んだ径方向リング形状溝であることを特徴とする付記１に記載の安全機構を備えた二方弁。
（付記５）
前記瓶シールリングは、弾性プラスチックから作製され、その厚さが前記径方向リング形状溝の幅より小さく、その外径が前記弁体の入口の雌ねじと出口の雌ねじとの内径より大きいことを特徴とする付記４に記載の安全機構を備えた二方弁。
（付記６）
前記弁心の棒と弁体との間にシールリングが設けられていることを特徴とする付記１に記載の二方弁。
（付記７）
前記弁体の出口の軸線と入口の軸線とは、互いに直交するか鈍角をなすことを特徴とする付記１に記載の安全機構を備えた二方弁。
（付記８）
ボール弁であることを特徴とする付記１に記載の安全機構を備えた二方弁。
（付記９）
前記ボール弁の弁体と弁心は、プラスチックで製造され、前記弁体は、一体射出成型によって製造され、前記弁心は、弁体の空洞に覆われ、回転可能であることを特徴とする付記８に記載の安全機構を備えた二方弁。
（付記１０）
前記弁体の出口の雌ねじと入口の雌ねじとはサイズが同一であることを特徴とする付記１に記載の安全機構を備えた二方弁。
【図１】
0006469405.tif 000002
【図２】
0006469405.tif 000003
【図３】
0006469405.tif 000004